(57)【要約】【課題】  扉が閉じた状態では軸心を含む丁番全体が全く外部に突出せず、１８０度まで開放可能でかつ規則に従った開閉の軌跡が得られ、扉重量に応じた十分な強度を保有し、建付け調整機構を備えた２軸を有する隠し丁番を提供することを目的とする。【解決手段】  円弧部材を有する縦枠側ケースと切り替え部材を有する扉側ケースと、略コの字形状の羽根と、回動カムを設け、羽根に回動カムを回転可能に装着し、２本の軸心で扉側ケースと縦枠側ケースと羽根を連結する。回動カムに接触片と戻り止め片と押し込み片と解除片を形成し、円弧部材に円弧壁と凹部壁を切り替え部材に押し出し壁と解除壁を設け、回動カムと円弧部材と切り替え部材の係脱動作により扉の開閉に規則性を持たせる。さらに扉側ケース若しくは縦枠側ケースを２重構造にし、外ケースに対して内ケースが前後左右上下に移動する機構にて建付け調整を可能とする。【選択図】          図１
2007211577.tif 000002
【特許請求の範囲】
【請求項１】
扉と枠体の吊元側に掘り込んで配置され、扉を閉じた状態では軸挿入部を含む丁番全体が扉面や枠体面から突出せず、複数の軸挿入部を有した羽根と複数の軸心を有する隠し丁番であって、略コの字形状で両端に軸挿入部を有した羽根と、切り替え部材を備えた扉側ケースと、円弧部材を備えた縦枠側ケースと、両先端に突起部分を備えた回動カムを有し、羽根に回動カムを回転可能に組付け、羽根両端の軸挿入部を両ケース内に振り分けて差し込み、第一軸心にて縦枠側ケースと羽根を第二軸心にて扉側ケースと羽根を連結して構成し、回動カムと円弧部材と切り替え部材との係脱動作により２本の軸心を中心とした扉の開閉動作に規則性を持たせたことを特徴とする隠し丁番。
【請求項２】
前記縦枠側ケースの手前側の深い位置に第一軸心と円弧部材を配置し、扉側ケースの手前側の深い位置に第二軸心と切り替え部材を配置し、回動カムの両先端の突起部分が円弧部材と切り替え部材に近接するように設定し、回動カムと円弧部材と切り替え部材との係脱動作により、閉状態から所定角度位置までは扉は第一軸心を中心にのみ回転し、所定角度位置以降は第一軸心を中心とした回転動作を規制し、第二軸心を中心にのみ回転する動作を得、大きく開放された状態から閉鎖する段階では先に第二軸心を中心に回転し、所定角度位置以降は第二軸心に対する回転動作を規制し、第一軸心を中心にのみ回転する動作を得ることを特徴とする請求項１に記載の隠し丁番。
【請求項３】
縦枠側ケースは第一軸心挿入孔を中心とし所定の開き角度を有した円弧壁と凹部壁を備えた円弧部材を有し、扉側ケースは第二軸心挿入孔と押し出し壁と解除壁を備えた切り替え部材を有し、回動カムの両先端突起部分の片端に接触片と戻り止め片を形成し、他端に押し込み片と解除片を形成し、羽根の上下に水平方向にて回転可能に組み付け、回動カムの接触片と戻り止め片が円弧部材の円弧壁と凹部壁に同水平面にて近接し、かつ回動カムの押し込み片と解除片が切り替え部材の押し出し壁と解除壁に同水平面上にて接触若しくは近接するように設定し、所定角度位置での扉の第二軸心を中心とした開閉に連動した回動カムの回転移動により係脱動作を得ることを特徴とする請求項１または２に記載の隠し丁番。
【請求項４】
扉の閉鎖状態では回動カムの接触片は縦枠側ケースの深い位置で円弧壁に極近接しており、同時に回動カムの押し込み片が切り替え部材の押し出し壁に接触しており、したがって閉鎖状態から所定角度位置までは回動カムの動作を規制しているため扉は第二軸心に対しては回転不能になっており、その結果扉は回動カムの接触片が凹部壁位置に移動する所定角度位置までは強制的に第一軸心を中心に回転するように構成したことを特徴とする請求項１及至3いずれか１項に記載の隠し丁番。
【請求項５】
前記縦枠側ケースに停止片を設け、扉が第一軸心を中心に所定角度位置まで開いた段階で羽根が停止片に当たって停止するように配置し、所定角度位置での羽根の停止と、回動カムの接触片が円弧壁から外れて凹部壁に移動し、その結果回動カムが回転動作可能な状態になるのとが同時になるように設定し、さらに開放しようとする次の段階で、扉側ケースの切り替え部材の押し出し壁が回動カムの押し込み片を押す動作により、扉が第二軸心を中心として回転可能になるように構成したことを特徴とする請求項１及至４いずれか１項に記載の隠し丁番。
【請求項６】
前記回動カムの縦枠側先端に戻り止め片を形成し、円弧壁の終焉位置直後に凹部壁を形成し、扉が所定角度位置からさらに第二軸心を中心として開放した初期段階で、切り替え部材の押し出し壁が押し込み片を押して回動カムを回転動作させると同時に戻り止め片が凹部壁に挿入し、凹部壁と戻り止め片が係止することにより羽根が第一軸心を中心として戻る方向に回転する動作を阻止することを特徴とする請求項１及至５いずれか１項に記載の隠し丁番。
【請求項７】
前記回動カムの扉側先端に解除片が形成されており、所定角度位置を超えて大きく開放された状態から扉を閉じると、所定角度位置に再度接近した段階で切り替え部材の解除壁が回動カムの解除片を押し込み、回動カムの回転動作により戻り止め片が凹部壁から脱出して両者の係止を解除する動作を得、そのまま連続して羽根が第一軸心を中心に回転して扉の閉鎖動作を得ることを特徴とする請求項１及至６いずれか１項に記載の隠し丁番。
【請求項８】
前記羽根と回動カムの間にばね部材を装着し、常に回動カムの接触片が円弧部材の円弧壁に当たろうとする方向に付勢させたことを特徴とする請求項１及至７いずれか１項に記載の隠し丁番。
【請求項９】
前記円弧部材の役割を、第一軸心を中心とした円弧部分とそれに連続するL型屈曲部分からなる円弧長孔にて形成し、切り替え部材の役割を第二軸心を中心とした円弧部分とそれに連続するL型屈曲部分からなる円弧長孔にて形成し、回動カムの両先端の突起部分を両円弧長孔内に挿入する円柱状等の突起物にて形成し、同様の係脱動作を得ると共に規則性を有した開閉動作を可能とすることを特徴とする請求項１及至８いずれか１項に記載の隠し丁番。
【請求項１０】
扉側ケース若しくは縦枠側ケースの両方若しくは少なくとも一方を外ケースと内ケースを有する二重構造にて構成し、外ケースに対して内ケースを左右前後上下方向に移動させる建付け調整機構を備えたことを特徴とする請求項１及至９いずれか１項に記載の隠し丁番。
【請求項１１】
扉側ケース若しくは縦枠側ケースの一方を外ケースと中間ケースと内ケースを有する三重構造にて構成し、第一のケースに対して第二のケースを左右前後上下方向に移動させ、第二のケースに対してさらに第三のケースを前後左右上下に移動させる建付け調整機構を備えたことを特徴とする請求項１及至９いずれか１項に記載の隠し丁番。
【請求項１２】
扉側ケース若しくは縦枠側ケースの少なくとも一方を外ケースと内ケースを有する二重構造にて構成し、二重構造の両内外ケースに互いに引っ掛けられるような凹凸部分を形成し、二重重ねにされた両者のみを分離させた状態で残部全体を組付けて吊元側の縦枠内面と扉の戸尻面にあらかじめ振り分けて取り付けておき、分離された外ケースと内ケースとを引っ掛ける動作にて扉を一旦保持し、その後固定手段を用いて外ケースと内ケースを完全に固定する構成の吊り込み機構を備えたことを特徴とする請求項１及至１１いずれか１項に記載の隠し丁番。
【発明の詳細な説明】
【技術分野】
【０００１】
本発明は隠し丁番に関するものである。
【背景技術】
【０００２】
従来から丁番は縦枠４５に扉４６を吊り込んで回転自在に保持するためのものであり、図２３に示すように２枚の板状の羽根３の端部を軸挿入部として巻き込み、軸心を軸挿入部に通して両者を回転自在に連結して構成され、扉４６と縦枠４５に両方の羽根３を別々に固定することにより、縦枠４５に対して扉４６を開閉可能にしている。この丁番の縦枠４５と扉４６に対する取り付け状態は、軸挿入部が扉面から持ち出されて突出していることが特徴とされ、この軸挿入部を持ち出したことにより扉４６を１８０度回転させることが可能になる。また図２３に示す９０度開放した状態では扉４６の厚み部分が開口側に寄った状態になっている。したがって９０度の開放では最大開口寸法を狭めることになり、この傾向は扉４６の厚みが厚いほど、さらには持ち出し寸法が大きいほど顕著になる。
【０００３】
また軸挿入部が持ち出されていることにより比較的平坦な面で構成されている扉面から突出した状態になり、この軸挿入部の出っ張りはデザイン面において非常に好ましく無い。さらに、丁番は通常扉４６の上下２カ所か若しくは３カ所に配置されるため、最下部の丁番の軸挿入部位置がどうしても幼児等の頭部くらいの高さに配置されてしまい、よちよち歩きの際に頭部をぶつけてしまう危険性も有している。したがって軸挿入部が扉面から突出することの無い丁番が望まれている。
【０００４】
また車椅子等で通行する際に重要な、縦枠４５の左右両戸当たり４４間の距離である最大開口寸法を確保できる開放位置は、図２３に示す扉４６をさらに１６５度程度にまで大きく開放した、扉４６のコーナー部分が戸当たり４４の開口側に出っ張った面を越えた位置になる。したがって軸挿入部を持ち出していることの要因のひとつとしては、最大開口寸法を得るためにほぼ１８０度にまで開放できる手段を用いているとも想定される。しかし一般的には通行の際には約９０度弱しか扉４６を開放しないため、９０度開放での最大開口寸法も重要である。
【０００５】
そこで従来から縦枠内面４３と扉４６の戸尻面４２の両方に掘り込んだ状態で配置し、軸挿入部を持ち出さずに扉４６を１８０度にまで開放することができる隠し丁番があり、複数の略三角形状の連結板を重ね合わせて複数のピンで組み付け、ピンを所定の溝に沿ってスライドさせながら折りたたむ構成になっている。この基本構成を有する隠し丁番は既に公知とされており、その改良品が特開平０６−１８５２５２や特開平０６−２８８１３９や特開２００２−１２１９５５等に多数開示されている。しかしこれらは連結板のスライド移動にて扉４６を持ち出しながら回転させる基本構成を有しているため、大きく持ち出そうとするとどうしても長い連結板が必要になり、扉４６の掘り込みを非常に深いものにする必要が生じる。ところが縦枠４５や扉４６の厚みにはある程度の制限があるため１８０度開いた状態での縦枠正面と扉面との隙間が接近する欠点が解消されず、縦枠正面と扉面の段差がある納まり等には対応しにくい。
【０００６】
さらには複数の軸心を兼ねた連動ピンが溝を同時に移動する独特の動作自体に特徴があるため、簡素化することが非常に困難な構成になっている。また多数の部品を複数位置で連結しており、扉４６の垂れ下がりを無くそうと組立公差を小さくすると各連結部分に摩擦が発生して開閉動作がどうしても重くなり、逆に組立公差を大きくするとがたつきが生じて開閉動作に支障をきたすことが問題とされている。また扉４６の厚み部分に掘り込んだ状態で内蔵しなければならないため、どうしても個々の部品を小さくする必要が生じ、強度を確保しにくいことも解決しきれない問題点として以前残っている。
【０００７】
また他の構成としては、複数の軸心にて複数の丁番の羽根を回動自在にあらかじめ連結しておき、複数の軸心のどれかが規則を持って交代しながら回転の中心となるものもあり、特開平０７−１５０８５０や特開平１１−８１７８４に開示されている。ここで回転の中心となる軸心を複数有する構成では、各軸心に対して羽根が不規則に回転してしまうと誤作動になり、その中でも最も顕著に現れる閉鎖時の逆折れ現象を防止することが重要である。そこで開閉時の動作に規則性を与える必要が生じるのであるが、その規則性を与える手段が困難であり、上記の構成等は規則性を与える機構自体が非常に複雑で部品点数もかなり多く、サイズ的にも比較的大きなものになり、コスト面においても割高になると考えられる。
【特許文献１】特開平０６−１８５２５２
【特許文献２】特開平０６−２８８１３９
【特許文献３】特開平０７−１５０８５０
【特許文献４】特開平１１−８１７８４
【特許文献５】特開２００２−１２１９５５
【発明の開示】
【発明が解決しようとする課題】
【０００８】
本発明は上記問題点を解決するためになされたものであり、比較的安価に製作できることを前提条件とし、逆折れの無い規則性を有した切り替え開閉動作を少ない部品点数での単純な構成で得、扉が閉じた状態では軸心を含む丁番全体が全く外部に突出せず、１８０度まで開放可能であり、扉重量に応じた十分な強度を保有する２軸タイプの隠し丁番を提供することを目的とする。そして扉を９０度開放した状態での最大開口寸法をより広く確保することを第二の目的とする。さらには前後左右上下方向の建付け調整機構も備えた構成を可能にすることを第三の目的とする。
【課題を解決するための手段】
【０００９】
本発明では上記問題点を解決するために次の技術手段を設けた。まず略箱型の縦枠側ケースと扉側ケースを設ける。丁番の羽根は１枚で形状は上面視略コの字形状か若しくは湾曲形状で、両端部を軸挿入部として巻き込んでおくか若しくは両端部の上下方向をL型に曲げ込んでその面上に軸心挿入孔を設けておく。そして両先端に突起部分を有し中央付近に支点を有した回動カムを設け、支点を挟んだ片方の先端部に接触片と戻り止め片を形成し、他方の先端部に押し込み片と解除片を形成し、羽根の上下位置に水平方向に回動可能な状態で装着する。
【００１０】
縦枠側ケースは略箱型で上下内面の手前側の深い位置に軸心挿入孔とこの軸心挿入孔を中心とし所定の開き角度を有した円弧形状の円弧部材を設け、円弧部材に円弧壁と凹部壁を形成しておく。そして縦枠側ケースの手前側の浅い位置に停止片を設けておく。扉側ケースも同様に略箱型で上下内面の手前側の深い位置に軸心挿入孔と切り替え部材を設け、切り替え部材に押し出し壁と解除壁を形成しておく。
【００１１】
そしてコの字形状の羽根の両端を両ケース内に差し込むように配置して第一軸心にて羽根と縦枠側ケースを、第二軸心にて羽根と扉側ケースを連結する。このとき回動カムの接触片と戻り止め片を有する片方の先端部が縦枠側ケース内に入り込み、押し込み片と解除片を有する他方の先端部が扉側ケース内に入り込むように設定し、円弧部材の円弧壁に回動カムの接触片が近接し、かつ切り替え部材の押し出し壁と解除壁に回動カムの解除片と押し込み片が当接した状態になるように設定しておく。そして縦枠内面と扉の戸尻面の掘り込み部分に両ケースを内蔵させて共に固定する。
【００１２】
次に上記の構成からの扉の開閉に基づく動作を説明する。まず扉の閉鎖状態では、回動カムの縦枠側の先端の接触片は円弧部材の円弧壁に極近接しており、同時に回動カムの扉側の先端の押し込み片が切り替え部材の押し出し壁に当接した状態になっている。そしてこの閉鎖状態から扉を開放すると、当然第一軸心と第二軸心の両方を中心に回転しようとすることになる。ところが第二軸心を中心に回転する動作においては、押し込み片と切り替え部材の押し出し壁とが当接しており、同時に接触片と円弧壁も非常に近接しているため、回動カムの回転動作が阻止される状態になっている。したがって閉鎖状態からは第二軸心に対して扉は回転することはない。ところが接触片と円弧壁は近接しているだけで羽根は第一軸心に対しては回転可能状態であり、したがって扉は円弧壁が終焉する所定角度位置までは強制的に第一軸心を中心に回転することになる。
【００１３】
次に扉が所定角度位置にまで開いた段階で羽根が縦枠側ケースの停止片に当たって第一軸心による回転が停止するようにしておく。すると所定角度位置で扉が停止すると同時に回動カムの接触片が円弧壁から外れ凹部壁に面対する位置に移動する。そしてさらに扉を開放させると、これ以上第一軸心に対しては回転しないため、今度は切り替え部材の押し出し壁が回動カムの押し込み片を押す動作と同時に接触片が凹部壁に挿入しながら回動カムが回転動作し、扉は第二軸心を中心として１８０度まで回転する動作になる。
【００１４】
ここで円弧壁の終焉位置に形成されている凹部壁が重要であり、扉を所定角度位置からさらに第二軸心を中心として僅かにのみ開放した段階で接触片と共に戻り止め片が凹部壁に挿入され、凹部壁と戻り止め片が突っ張って係止することになり、その結果所定角度位置よりも大きく扉が開いた状態では羽根が第一軸心を中心として戻ってしまう動作を規制することができる。したがって、この係止機構により羽根の逆折れ防止が可能になる。
【００１５】
次に所定角度位置より遥かに大きく開放した状態から扉を閉じると、所定角度位置に戻る直前にて切り替え部材の解除壁が回動カムの解除片を押し込む動作になり、回動カムが戻る方向に回転動作し、所定角度位置にまで閉鎖された段階では円弧部材の凹部壁から接触片と戻り止め片が脱出する。するとそのまま連続して第一軸心を中心に羽根が戻ることになり、扉を完全に閉鎖することが可能になる。
【００１６】
つまり扉の開放時には、閉鎖状態から所定角度位置までは第一軸心を中心に回転し、第二軸心を中心とした回転動作は阻止されており、所定角度位置以降は第二軸心を中心に回転するように切り替わり、同時に羽根を所定角度位置にて強制的に保持し、そのまま大きく１８０度まで開放する動作になる。そして閉鎖時には所定角度位置までは第二軸心を中心に回転し、このとき羽根の第一軸心を中心とした回転動作は阻止されており、所定角度位置の直前にて羽根の保持を自動的に解除し、その後は第一軸心を中心に回転する動作が得られ、逆折れ等の誤作動のない開閉動作が可能になる。
【００１７】
さらに、逆折れのない切り替えを得る係脱機構は上記の円弧部材と切り替え部材と回転カムを用いる構成だけではなく、円弧部材の役割を第一軸心を中心とした円弧長孔とそれに連続するL型屈曲部分にて形成し、切り替え部材の役割を第二軸心を中心とした円弧長孔とそれに連続するL型屈曲部分にて形成し、回動カムの両先端の突起部分を両長孔内に挿入する円柱状等の突起物にて形成する構成等においても可能である。
【００１８】
また、枠体に対する扉の位置を施工後に建付け調整する機構も必要であり、調整の方向は通常上下左右前後の３次元とされている。そこで扉側ケース若しくは縦枠側ケースを外ケースと内ケースの二重重ね若しくはさらに中間ケースを有した３重重ねにて構成し、外ケースを扉や枠縦の掘り込み部分に固定し、外ケースに対して中間ケースや内ケースが、中間ケースに対して内ケースが各方向に調整できるように構成する手段が優れている。
【００１９】
これら調整の手段は多数考えられるが、前後調整の一例としては外ケースと内ケースに偏心カムを組み付けておき、内外ケースの固定手段を解除後に偏心カムを回して前後位置調整する機構がよい。また左右調整は外ケースに対して複数のねじを用いて内ケースを左右方向に浮かせた状態で固定できるようにし、内外両ケースの隙間をねじにより調整することで左右位置調整する機構がよい。また上下調整は、外ケースに対して内ケースが上下方向に移動できる空間を設けておき、傾斜面を有する傾斜部材を２個上下方向に面対させ、上下調整ねじにて片方の傾斜部材を左右に移動させる動作により他方の傾斜部材を上下動作させる機構を外ケースに組み込んでおき、外ケースに対して内ケースの上下位置を調整する構成がよい。
【００２０】
また枠体に扉を吊り込むときの施工性も重要であり、その手段としては、同様に縦枠側ケース若しくは扉側ケースのどちらか片方を外ケースと内ケースに分割し、互いを簡単に引っ掛けられるような凹凸部分を設けておく。また他方には羽根と共に分割した側の内ケースも連結しておく。そして両者を縦枠と扉の掘り込み部分に振り分けてあらかじめ固定しておく。すると扉を持ち上げながら分割された外ケースと内ケースを嵌め込み、互いを引っ掛けていったん保持させることができ、その後固定手段を用いて内ケースと外ケースを完全に組み付けると良い。
【発明の効果】
【００２１】
軸心を含む丁番全体を縦枠と扉に内蔵したためデザイン性を向上することができ、同時に扉面から出っ張った突起状の軸心をも排除できることになり、安全性をも高めることが可能になる。また単純な形状の２個のケースと、回動カムを装着した両端に軸挿入部を有した略コの字形状の羽根を２本の軸心で連結するだけでよく、部品点数も少なく非常に簡単な構成であり、組み付けも容易で非常に安価に製作することが可能である。
【００２２】
回動カムと、円弧部材と、切り替え部材とによる係脱機構や、係合ピンを有した回動カムと、L型屈曲部分を有した円弧長孔とによる係脱機構を用いることにより、所定角度位置を境とした第一軸心を中心とした回転動作と第二軸心を中心とした回転動作に規則性を持たせることができ、逆折れ等の誤作動の無い扉の開閉動作が可能になる。
【００２３】
縦枠の掘り込み部分の手前側の深い位置に第一軸心を配置したため、９０度開放した状態で扉を大幅に吊元側に寄せた位置に移動させる固有の回転軌跡になり、最大開口寸法を広く確保するという点において非常に有効である。また９０度を少し過ぎた開放位置で既に１８０度開放するのと同程度の開口寸法が確保でき、廊下等の必然的に９０度を少し超えた程度にしか扉を開放できない納まりのドア等に用いるとより効果的である。
【００２４】
従来の丁番と同様に板状の羽根で荷重を受けるため強度を確保し易く、羽根の板厚を増すか、若しくは羽根の上下方向の長さを伸ばすことでさらに強度を上げることが簡単であり、さらには羽根自体がコの字形状に曲がっているため捻じれ等の荷重に対しても強い構成になっている。
【００２５】
縦枠側ケース若しくは扉側ケースを外ケースと内ケースとからなる２重構造にし、外ケースに対して内ケースが前後方向、左右方向、上下方向に移動可能な調整機構を設けることで、施工後に枠体に対して扉を適正な位置に建付け調整することが可能になる。また縦枠側ケース若しくは扉側ケースのどちらかを凹凸部分を有した外ケースと内ケースに分離しておき、吊り込みの際に互いを引っ掛けることができるように構成することにより、扉の吊り込みの際の施工性を向上させることができる。
【発明を実施するための最良の形態】
【００２６】
以下図面に基づいて本発明の隠し丁番に関する実施の形態を説明する。図１〜図１０は本発明の第一実施形態を示しており、図１は本発明の隠し丁番の分解斜視図である。図２は縦枠側ケース１の上面図で、図３は扉側ケース２の上面図である。図４は羽根３の上面図であり、図５は回動カム４の上面図である。図１に示すように縦枠側ケース１は略箱型で上下に取り付け孔１０を備えたつば面１１を有している。そして、扉４６が開く方向を手前側、逆方向を奥側とし、掘り込みの深さ方向を深い浅いにて表記すると、縦枠側ケース１の上下内面の手前側の深い位置に第一軸心挿入孔５と円弧部材６を設け、さらに縦枠側ケース１の手前側の浅い位置に停止片９を設けておく。また円弧部材６は図２に示すように第一軸心挿入孔５を中心とした所定の開き角度を有しており、その周囲を円弧壁７とし、円弧壁７が終焉する位置に凹部壁８を設けておく。
【００２７】
扉側ケース２も図１に示すように略箱型で上下に取り付け孔１０を備えたつば面１１を有し、箱型部分の上下内面の手前側の深い位置に第二軸心挿入孔１２と切り替え部材１３を設けておく。図３は扉側ケース２の上面図であり、第二軸心挿入孔１２の奥位置に切り替え部材１３の押し出し壁１４を設け、第二軸心挿入孔１２より浅い位置に解除壁１５を設けておく。
【００２８】
羽根３は図４(a)に示すように上面視略コの字形状若しくは湾曲形状で、両端部を巻き込んで形成し、第一軸心挿入孔５と第二軸心挿入孔１２を設けておく。また、図４(b)に示すように羽根３の両端部上下位置を内側にL型に曲げ込んでその面上に第一軸心挿入孔５と第二軸心挿入孔１２を配置した形状でもよい。そしてコの字の中央部分に回動カム４の支点となる回動カム用軸挿入孔１６を設けておく。羽根３の上下方向の長さは任意であり、この長さを変えることで羽根３及び丁番全体の強度を任意に設定することができる。
【００２９】
また図１及び図５に示すように、回動カム４は回転動作の支点となる回動カム用軸挿入孔１６を挟んで両側に突起状の先端部分を有し、縦枠側ケース１側に配置される先端には接触片１７と戻り止め片１８を形成し、扉側ケース２側に配置される先端には凹形状で連続した押し込み片１９と解除片２０を形成しておく。そして回動カム４を羽根３の回動カム用軸挿入孔１６に被せるように配置して回動カム用軸心２１にて装着する。したがって回動カム４は羽根３に対して水平方向に回転動作できることになる。
【００３０】
次に羽根３の両端を扉側ケース２内と縦枠側ケース１内に挿入し、第一軸心２２にて縦枠側ケース１と羽根３を、第二軸心２３にて扉側ケース２と羽根３を回動自在に装着する。この際に羽根３と両ケース間に図１に示すような耐摩耗性のよい樹脂ワッシャ２５等を挟みこんでおくと良い。また円弧部材６と切り替え部材１３を磨耗の少ないオイルを含浸させた焼結金属等で製作しておくとさらに高性能な構成が得られる。図６は扉側ケース２と縦枠側ケース１と回動カム４を装着した羽根３を組付け、扉４６と縦枠４５に装着した状態の上面図であり、扉側ケース２と縦枠側ケース１が近接して向かい合った扉４６が閉鎖している納まり状態を示している。
【００３１】
図６に示すように扉４６が閉じた状態での羽根３は、縦枠側ケース１の第一軸心２２から縦枠側ケース１の背面に沿って戸当たり４４方向に伸び、次に扉４６の戸尻面４２側に曲げるか若しくは湾曲させ、さらに扉側ケース２の背面に沿って再度曲げ込んで第二軸心２３に至る形状になる。そしてこの状態で円弧部材６の円弧壁７に回動カム４の接触片１７が非常に近接するように設定し、同時に切り替え部材１３の押し出し壁１４と解除壁１５に回動カム４の押し込み片１９と解除片２０が同時に当接しているように設定しておく。また閉鎖状態でコの字形状の羽根３の両外側面が縦枠側ケース１の背面と扉側ケース２の背面に近接しているように設定しておく。ここで縦枠側ケース１と扉側ケース２と回動カム４の上下方向の位置は、円弧壁７及び凹部壁８と接触片１７及び戻り止め片１８、さらには押し出し壁１４及び解除壁１５と解除片２０及び押し込み片１９が同水平面上に配置されるようにしておく。そして縦枠側ケース１と扉側ケース２を戸尻面４２と縦枠内面４３の掘り込み部分４１に配置して固定する。
【００３２】
次に図６の閉鎖状態からの扉４６の開閉に基づく動作を図７にて説明する。図７(ａ)は図６と同様の閉鎖状態を示しており、この状態から扉４６を開くと、当然第一軸心２２と第二軸心２３の両方若しくはどちらかを中心に羽根３は回転しようとする。しかし、ここで扉４６が先に第二軸心２３を中心に回転するには、切り替え部材１３の押し出し壁１４が回動カム４の押し込み片１９を押して回動カム４を回転動作させなければならないことになる。ところが回動カム４の支点を挟んで逆側にある接触片１７と円弧壁７とがほぼ接触しているため、瞬時に接触片１７と円弧壁７が当接してしまい回動カム４は回転できない。したがって図７(ａ)の状態では扉４６は第二軸心２３を中心としては回転できないことになる。ところが円弧部材６の円弧壁７は第一軸心２２を中心とした円弧形状にて設定されているため第一軸心２２を中心とした羽根３の回転動作は可能であり、その結果扉４６は図７(ｂ)に示すように第一軸心２２を中心に回転を開始する。
【００３３】
つまり円弧壁７と回動カム４の接触片１７が近接して面対している図７(ｃ)までの角度範囲においては必ず第一軸心２２を中心とした羽根３の回転動作になる。そして回動カム４の接触片１７が円弧壁７の終焉した直後の凹部壁８位置にまで移動して初めて回動カム４の回転動作が可能になる。その状態が図７(ｄ)であり、このときの扉４６の開き角度を所定角度位置とする。また図１に示すように、扉４６が所定角度位置にまで開いた段階で羽根３が停止片９に当たって停止するように停止片９を配置し、所定角度位置で扉４６が停止すると同時に回動カム４の接触片１７が円弧壁７から外れて回転動作可能な状態を得られるように構成しておく。図７では所定角度位置を９０度にて設定した構成を示しているが、所定角度位置の設定には特に制限は無く任意である。
【００３４】
ここで、図７(ｄ)の所定角度位置ではまだ回動カム４は回転動作していない状態である。そして扉４６を所定角度位置からさらに開放しようとする初期段階で、図７(ｅ)に示すように扉側ケース２の切り替え部材１３の押し出し壁１４が押し込み片１９を押しながら回動カム４を回転動作させ、扉４６が第二軸心２３を中心として回転し、そのまま図７(ｆ)に示すように１８０度まで開放することが可能になる。また、この回動カム４の回転動作と同時に図７(ｅ)に示すように戻り止め片１８が凹部壁８に挿入され、互いが係止することにより羽根３が第一軸心２２を中心として戻る方向に回転する動作を阻止することができる。したがって所定角度位置以降は第一軸心２２を中心とした回転動作は阻止され、第二軸心２３を中心とした回転動作だけになる。
【００３５】
次に所定角度位置を大きく越えて開放してから扉４６を閉じた場合の動作を説明する。図７(ｆ)の状態から閉じると、羽根３の第一軸心２２を中心とした回転動作は規制されているため第二軸心２３を中心に回転して扉４６は閉じ、所定角度位置直前で今度は図７(ｅ)に示すように切り替え部材１３の解除壁１５が回動カム４の解除片２０を押し込む動作になる。すると回動カム４が回転動作して戻り止め片１８と凹部壁８との係止を解除する動作を得、図７(ｄ)の所定角度位置の状態に戻り、そのまま連続して羽根３が第一軸心２２を中心に回転して扉４６を閉じる動作を得ることができる。また所定角度位置から僅かに閉じた図７(ｃ)の段階で第二軸心２３を中心とした回転は再度阻止され図７(ａ)に示す閉鎖状態にまで戻る。
【００３６】
したがって羽根３が２本の軸心に対して同時に回転してしまう誤作動や、閉状態から先に第二軸心２３を中心に扉４６が回転してしまって縦枠内面４３に戸尻面４２のコーナーが当接する等の誤動作を確実に排除でき、規則性に従った扉４６の開閉動作を確実に得ることが可能になる。また回動カム４と円弧部材６と切り替え部材１３との係脱動作をより確実に実施するために、図１及び図６に示すように羽根３と回動カム４の間に弱い力の捻りばね部材２４を装着し、常に接触片１７が円弧壁７に当たろうとする方向に付勢させておくとよい。
【００３７】
また、以上では解り易くするために切り替え部材１３の形状を矩形にて表記したが、開放時での図７(d)〜図７(e)の動作ではより大きく押し出し壁１４が押し込み片１９を移動させることが望ましく、閉鎖時にはより確実に解除壁１５が解除片２０を移動させる動作が望まれる。そこでさらに条件の良い係脱動作が得られる形態の切り替え部材１３と回動カム４を図８と図９に示す。切り替え部材１３の押し出し壁１４は図８に示すように第二軸心２３に対してさらに浅い位置に配置し、より大きく回動カム４を移動させる形状が優れている。また切り替え部材１３の解除壁１５を扉４６の奥位置に配置し、図９に示すように回動カム４の奥側に解除片２０を配置する構成も可能である。
【００３８】
図１０は上記の回動カム４と切り替え部材１３を用いた場合での扉４６の開閉動作を示した軌跡図であり、図１０(a)は所定角度位置を示している。この状態からさらに開放すると図１０(b)に示すように、完全に回動カム４の戻り止め片１８が凹部壁８に深く入り込むまで押し出し壁１４が押し込み片１９を確実に押し込むように設定することができる。また、大きく開いた状態から閉じる際の所定角度位置直前においては、図１０(c)に示すように回動カム４の外側から切り替え部材１３の解除壁１５が回り込んで回動カム４の解除片２０を押す動作が得られ、より確実な係脱動作が可能になる。
【００３９】
また前述の図７(f)に示す扉４６を約１８０度開放した状態では、ばね部材２４により回動カム４の戻り止め片１８は凹部壁８から抜けないように付勢されているのであるが、この状態において指先等で回動カム４の扉側先端部を押すような予期しない事態が起こると、回動カム４は回転することになり、所定角度位置にまで戻らない位置で第一軸心２２を中心に回転してしまう誤作動の危険性を残している。そこで、図８に示すように切り替え部材１３の第二軸心２３に対して浅い位置の形状を、第二軸心２３を中心とした円弧壁７にて形成しておくとよい。すると図１０(d)に示すように押し込み片１９の先端が常に切り替え部材１３の円弧壁７に接触した状態になり、どの開放角度位置においても回動カム４が戻る方向に回転動作することを阻止できることになり、さらに誤作動の危険性を防止することが可能である。
【００４０】
また図７(ｄ)及び図１０(a)に示すように、扉４６を９０度開放した状態では扉４６自体が吊元側に寄った位置になっている。これは第一軸心２２を縦枠内面４３の掘り込み部分４１内の手前側の深い位置に設定したことによる効果であり、図２３に示す従来の丁番での９０度開放位置と比較すると有効開口寸法が非常に広くなっていることが解る。このことも本発明の隠し丁番の重要な特徴の一つである。また図７(ｆ)に示すように扉４６を１８０度開放した状態での縦枠正面と扉面との隙間を広く取ることも可能である。さらには図７(ａ)に示すように縦枠正面と扉面との段差が大きい納まりであっても、縦枠４５の手前側コーナーに適当な面取りを施すことにより１８０度までの開放を可能にすることができる。これらの有効な特徴は、最初に第一軸心２２を中心に開放して扉４６を大きく持ち出しておき、その後に第二軸心２３を中心にして１８０度まで開放する特有の軌跡によるものである。
【００４１】
また前述の、回動カム４と円弧部材６と切り替え部材１３とによる係脱機構だけではなく、他の構成においても同様に２本の軸心に対する羽根３の動作に規則性を持たせることが可能である。その一例を第二実施形態として図１１〜図１５に基づいて説明する。第二実施形態は円弧形状の長孔を主として用いた構成であり、図１１は縦枠側ケース１を縦枠４５の掘り込み部分４１内に配置した状態の上面模式図であり、図１２は扉側ケース２を扉４６の掘り込み部分４１内に配置した状態の上面模式図である。また図１３は第二実施形態での回動カム４の斜視図であり、図１４は回動カム４の上面図である。ここで、羽根３や縦枠側ケース１及び扉側ケース２の取り付け孔１０を含む外周形状等他の部分は第一実施形態と同じでよい。
【００４２】
第二実施形態では第一実施形態での円弧壁７と凹部壁８からなる円弧部材６の代わりに図１１に示すように第一軸心挿入孔５を中心とした円弧部分２７とそれに連続したL型屈曲部分２８からなる円弧状長孔２６を縦枠側ケース１の上下面に形成しておく。そして図１２に示すように第一実施形態での押し出し壁１４と解除壁１５からなる切り替え部材１３の代わりに第二軸心挿入孔１２を中心とした円弧部分２７とそれに連続したL型屈曲部分２８からなる円弧状長孔２６を扉側ケース２の上下面に形成しておく。ここで両L型屈曲部分２８の両円弧状長孔２６に対して屈曲している傾斜角度は両ケースにおいて異なっている点が重要である。
【００４３】
図１３は第二実施形態での回動カム４の斜視図であり、図１４は上面図である。図１３及び図１４に示すように回動カム４は回転動作の支点となる回動カム用軸挿入孔１６を挟んで両側に先端部分を有し、先端部分両方に係合ピン２９を合計４本上下方向に突出した状態で配置しておく。そして回動カム４を羽根３の回動カム用軸挿入孔１６に被せるように配置して回動カム用軸心２１にて装着する。したがって回動カム４は第一実施形態と同様に羽根３に対して水平方向に回転動作できることになる。次に回動カム４を装着した羽根３を縦枠側ケース１と扉側ケース２に第一軸心２２と第二軸心２３にて組付けるのであるが、このとき縦枠側ケース１に組付ける回動カム４の係合ピン２９が円弧状長孔２６内に、扉側ケース２に組付ける係合ピン２９も同様に円弧状長孔２６内に挿入した状態で構成する。従って上下方向の配置においては縦枠側ケース１と扉側ケース２の内面に近接して面対した状態で回動カム４の上下面が配置され、回動カム４の両係合ピン２９と両円弧状長孔２６が同水平面に配置されることになる。
【００４４】
図１５は第二実施形態での扉４６の開閉による羽根３と回動カム４の軌跡を示す上面図である。図１５(a)は扉４６の閉鎖状態であり、縦枠側ケース１の円弧状長孔２６の円弧部分２７端部に回動カム４の片側の係合ピン２９が配置されており、他方の係合ピン２９は扉側ケース２の円弧状長孔２６のL型屈曲部分２８の端部に配置されている。従って図１５(a)の状態では第二軸心２３を中心に扉４６は回転不可な状態になっている。ところが第一軸心２２に対して羽根３は係合ピン２９が円弧部分２７を移動する動作にて回転可能な状態になっており、その結果図１５(b)に示す所定角度位置までは第一軸心２２を中心に開放する動作になる。そして図１５(b)の段階では、縦枠側ケース１側の係合ピン２９は円弧部分２７とL型屈曲部分２８との交差位置に移動してきている。また扉側ケース２側の係合ピン２９はL型屈曲部分２８の端部に配置されており、所定角度位置までは回動カム４の動作が規制されているためそのままの位置を保持している。
【００４５】
ここで縦枠側ケース１のL型屈曲部分２８の形状を、１５(b)に示す所定角度位置で係合ピン２９が回動カム用軸２１を中心とした円弧軌跡上にて移動できるように形成しておくと、所定角度位置で羽根が停止した段階で、縦枠側ケース１側の係合ピン２９がL型屈曲部分２８に挿入する動作と共に回動カム４の回転可能な状態が得られる。また図１５(b)の状態からさらに扉４６を大きく開放する初期段階で、扉側ケース２側の傾斜角度を有したL型屈曲部分２８が係合ピン２９を押しながら回動カム４を回転させる動作になるように扉側ケース２のL型屈曲部分２８の傾斜形状を設定しておく。すると図１５(c)に示すように所定角度位置からさらに僅かに開放する動作に連動して、扉側ケース２側の係合ピン２９がL型屈曲部分２８の傾斜に押されて回動カム４の回転動作と共に円弧部分２７との交差位置に移動し、同時に縦枠側ケース１側の係合ピン２９はL型屈曲部分２８に挿入する動作が得られる。つまり所定角度位置からの更なる僅かな扉の開放動作に連動した回動カム４の回転により上記のような切り替え機構が可能になる。
【００４６】
そしてさらに扉４６を開放すると図１５(d)に示すように、扉側ケース２側の係合ピン２９は円弧部分２７内を移動する動作になり、回動カム４の回転動作が再度規制され、縦枠側ケース１側の係合ピン２９により羽根３が第一軸心２２を中心とした戻る方向への回転動作を阻止することができ、逆折れ現象を確実に回避することが可能になる。また図１５(d)に示す大きく開放した段階から閉鎖する動作においては、所定角度位置直前で扉側ケース２側の係合ピン２９が円弧部分２７からL型屈曲部分２８に押し込まれる動作になり、回動カム４が戻る方向に回転して縦枠側ケース１側の係合ピン２９がL型屈曲部分２８から円弧部分２７に移動し、羽根３の第一軸心２２を中心とした回転動作が可能となり、そのまま完全に扉４６を閉鎖することができる。
【００４７】
つまり第二実施形態では第一実施形態での切り替え部材１３の押し出し壁１４や解除壁１５の役割を扉側ケース２側のL型屈曲部分２８の内側辺が担っており、回動カム４の押し込み片１９や解除片２０の役割を係合ピン２９の側周部分が担っていることになる。また第一実施形態での円弧部材６の円弧壁７と凹部壁８の役割を第二実施形態では縦枠側ケース１の円弧部分２７とL型屈曲部分２８の内側辺が担っており、戻り止め片１８と押し込み片１９の役割をやはり同様に係合ピン２９の側周部分が担っていることになる。また上記のような係脱機構は第一実施形態や第二実施形態の構成に限られるものではなく、他のどのような機構を用いてもよい。
【００４８】
次に、枠体に対して扉４６の位置を前後左右上下に調整する建付け調整機構を備えた構成を説明する。丁番の建付け調整機構は様々なものが多数実施されており、特に限定されるものではないが、最も本発明の隠し丁番に適した構成を図１６〜図２１に示す。また扉４６を縦枠４５に吊り込む時の施工性も重要であり、同様に本発明の隠し丁番に最も適していると思われる吊り込み機構を図２２にて説明する。
【００４９】
図１６は前後調整を縦枠側ケース１にて実施する構成を示した側面図であり、図１７は正面図である。まず縦枠側ケース１を外ケース３０と内ケース３１とからなる二重構造にて構成し、外ケース３０に対して内ケース３１が前後方向に移動できるような空間を設定しておく。そして両ケースを固定又は解除する手段と外ケース３０に対して内ケース３１を前後方向に移動させる手段を両ケース間に設けておくと良い。その一例としては図１６及び図１７に示すように、外ケース３０内にさらにコの字形状の内ケース３１を嵌め込み、両ケース間に装着した偏心カム３２をドライバーにて回転させる機構がよい。また両ケースを固定又は解除する手段には固定ねじ３３にて締め付ける方法が比較的簡単でよい。ここで図１６及び図１７では羽根３や第一軸心２２は表記していないが、前述の第一実施形態や第二実施形態での係脱動作の機構部分は全て内ケース３１に配置し、羽根３も内ケース３１に組付ける構成は前述と全く同様である。
【００５０】
図１８は左右調整と上下調整を扉側ケース２側にて実施する構成を示した側面図であり、図１９は正面図である。前後調整と同様に扉側ケース２を外ケース３０と内ケース３１とからなる２重構造にて構成し、外ケース３０に対して内ケース３１が左右と上下方向に移動できるような空間を設定しておく。そして両ケースを固定又は解除する手段と、外ケース３０に対して内ケース３１を左右に移動させる手段と上下に移動させる手段を設けておく。左右調整機構の一例としては図１８及び図１９に示すように、上下につば面１１を備えた外ケース３０と、同様につば面１１を有した内ケース３１を重ねた状態で扉側ケース２を構成する。そして外ケース３０のつば面１１に左右調整ねじ３４を螺合し、左右調整ねじ３４の頭部に被せる様に内ケース３１のつば面１１を配置し、その外側から複数の固定ねじ３３にて挟み込むとよく、左右調整ねじ３４を回して頭部の位置を変えた後で固定ねじ３３を締め込むことにより外ケース３０に対する内ケース３１の位置を左右方向に調整することができる。
【００５１】
上下調整においては、図１８に示すように傾斜面３５を有した上部傾斜部材３６と下部傾斜部材３７を設け、傾斜面３５同士を接面させた状態で上下方向に重ね合わせて外ケース３０に組み込む。そして下部傾斜部材３７は上下方向にしか移動できないように規制しておく。次に上部傾斜部材３６に上下調整ねじ３８を螺合させておき、その上下調整ねじ３８を外ケース３０に対して定位置で空転するように装着しておく。そして下部傾斜部材３７の下面に内ケース３１の上面が密着した状態で両ケースを配置する。すると上下調整ねじ３８を回転させる操作により上部傾斜部材３６が横方向に移動し、両傾斜面３５が押し合いながら滑って下部傾斜部材３７が上下方向に移動することになり上下調整が可能となる。固定操作に関しては左右方向と上下方向を同時に固定ねじ３３で締め付けて固定するのであるが、上下調整のみ実施する場合では極僅かだけ固定ねじ３３を緩めてから上下調整を実施すると良い。また図１８及び図１９では羽根３や第二軸心２３は表記していないが、前述の係脱動作の機構部分は全て内ケース３１に配置し、羽根３も内ケース３１に組付ける構成は前述と全く同様である。
【００５２】
また、縦枠側ケース１若しくは扉側ケース２のどちらかを外ケース３０と中間ケース３９と内ケース３１からなる３重重ねにし、各々のケースに対して前後左右上下に個々に移動調整可能とする構成も可能である。図２０は縦枠側ケース１を３重重ねにて構成した側面図であり、図２１は同様の正面図である。この構成では外ケース３０に対して中間ケース３９が左右上下に調整可能であり、中間ケース３９に対して内ケース３１が前後方向に調整可能になっている。しかしこれらの調整機構の配置及び組み合わせは特に上記に限定されることはなく様々な構成が可能である。また本発明の隠し丁番においては、９０度開放時点で扉４６の戸尻面４２が縦枠４５側に寄る軌跡になり、扉４６の戸尻面４２での調整においては作業性が良くないため、上記の縦枠４５側にて全ての建付け調整を実施する３重重ねの構成が優れている。
【００５３】
次に扉４６の吊り込み機構を説明する。吊り込み機構においても縦枠側ケース１や扉側ケース２を分離させて重ね合わせて構成したのを利用し、分離したケースをあらかじめ縦枠４５か扉４６に振り分けて取り付けておき、両者を嵌め込んで引っ掛ける手段により吊り込みを実施することが可能である。その一例としては、図２２に示すように扉側ケース２の外ケース３０のみをあらかじめ戸尻面４２の掘り込み部分４１に装着しておき、内ケース３１は羽根３に連結された状態で縦枠側ケース１と一体化させて組みつけ、あらかじめ縦枠内面４３の掘り込み部分４１に装着しておく。そして扉側ケース２の外ケース３０には上下調整機構を組み付けておき、左右調整機構のための左右調整ねじ３４もつば面１１に配置しておく。また分離されている扉側ケース２の内ケース３１と外ケース３０に互いに引っ掛けられるような凹凸部分４０を形成しておく。
【００５４】
吊り込み動作としては、扉４６を持ち上げながら扉側ケース２の外ケース３０の凹凸部分４０を内ケース３１の凹凸部分４０に引っ掛けて一旦扉４６を保持し、その後固定ねじ３３を締め込んで扉側ケース２の外ケース３０と内ケース３１を固定する。また縦枠側ケース１を３重に重ねて構成する場合では、外ケース３０のみを縦枠にあらかじめ装着しておき、残部分を全て組み込んで扉４６に装着しておき、外ケース３０と中間ケース３９に凹凸部分４０を形成しておいて互いに引っ掛ける動作により実施すると良い。また上記の吊り込み機構においても、上記に限定されるものではなく他のどのような構成を用いてもよい。
【図面の簡単な説明】
【００５５】
【図１】本発明の隠し丁番の、第一実施形態の隠し丁番の分解斜視図である。
【図２】本発明の隠し丁番の、第一実施形態の縦枠側ケースの上面図である。
【図３】本発明の隠し丁番の、第一実施形態の扉側ケースの上面図である。
【図４】本発明の隠し丁番の、第一実施形態の羽根の上面図である。
【図５】本発明の隠し丁番の、第一実施形態の回動カムの上面図である。
【図６】本発明の隠し丁番の、第一実施形態の閉状態での納まり上面図である。
【図７】本発明の隠し丁番の、第一実施形態の扉の開閉に基づく上面軌跡図である。
【図８】本発明の隠し丁番の、第一実施形態の切り替え部材の別案の上面図である。
【図９】本発明の隠し丁番の、第一実施形態の回動カムの別案の上面図である。
【図１０】本発明の隠し丁番の、第一実施形態の別案の回動カムと切り替え部材を用いた構成での扉の開閉に基づく上面軌跡図である。
【図１１】本発明の隠し丁番の、第二実施形態の縦枠側ケースの上面図である。
【図１２】本発明の隠し丁番の、第二実施形態の扉側ケースの上面図である。
【図１３】本発明の隠し丁番の、第二実施形態の回動カムの斜視図である。
【図１４】本発明の隠し丁番の、第二実施形態の回動カムの上面図である。
【図１５】本発明の隠し丁番の、第二実施形態の扉の開閉に基づく上面軌跡図である。
【図１６】本発明の隠し丁番の、縦枠側ケースに前後調整機構を組み込んだ構成の側面図である。
【図１７】本発明の隠し丁番の、縦枠側ケースに前後調整機構を組み込んだ構成の正面図である。
【図１８】本発明の隠し丁番の、扉側ケースに左右と上下の調整機構を組み込んだ構成の側面図である。
【図１９】本発明の隠し丁番の、扉側ケースに左右と上下の調整機構を組み込んだ構成の正面図である。
【図２０】本発明の隠し丁番の、縦枠側ケースに全ての調整機構を組み込んだ構成の側面図である。
【図２１】本発明の隠し丁番の、縦枠側ケースに全ての調整機構を組み込んだ構成の正面図である。
【図２２】本発明の隠し丁番の、吊り込み機構の一例を示す側面図である。
【図２３】従来の持ち出し吊りの丁番の開閉軌跡図である。
【符号の説明】
【００５６】
１      縦枠側ケース
２      扉側ケース
３      羽根
４      回動カム
５      第一軸心挿入孔
６      円弧部材
７      円弧壁
８      凹部壁
９      停止片
１０    取り付け孔
１１    つば面
１２    第二軸心挿入孔
１３    切り替え部材
１４    押し出し壁
１５    解除壁
１６    回動カム用軸挿入孔
１７    接触片
１８    戻り止め片
１９    押し込み片
２０    解除片
２１    回動カム用軸
２２    第一軸心
２３    第二軸心
２４    ばね部材
２５    樹脂ワッシャ
２６    円弧長孔
２７    円弧部分
２８    L型屈曲部分
２９    係合ピン
３０    外ケース
３１    内ケース
３２    偏心カム
３３    固定ねじ
３４    左右調整ねじ
３５    傾斜面
３６    上部傾斜部材
３７    下部傾斜部材
３８    上下調整ねじ
３９    中間ケース
４０    凹凸部分
４１    掘り込み部分
４２    戸尻面
４３    縦枠内面
４４    戸当たり
４５    縦枠
４６    扉
【図１】
2007211577.tif 000003
【図２】
2007211577.tif 000004
【図３】
2007211577.tif 000005
【図４】
2007211577.tif 000006
【図５】
2007211577.tif 000007
【図６】
2007211577.tif 000008
【図７】
2007211577.tif 000009
【図８】
2007211577.tif 000010
【図９】
2007211577.tif 000011
【図１０】
2007211577.tif 000012
【図１１】
2007211577.tif 000013
【図１２】
2007211577.tif 000014
【図１３】
2007211577.tif 000015
【図１４】
2007211577.tif 000016
【図１５】
2007211577.tif 000017
【図１６】
2007211577.tif 000018
【図１７】
2007211577.tif 000019
【図１８】
2007211577.tif 000020
【図１９】
2007211577.tif 000021
【図２０】
2007211577.tif 000022
【図２１】
2007211577.tif 000023
【図２２】
2007211577.tif 000024
【図２３】
2007211577.tif 000025